(57)【要約】【課題】本発明は使い捨て式マスク本体と２本の紐からなる取り外し可能な使い捨て式マスク及びその使い捨て式マスク本体を提供する。【解決手段】使い捨て式マスク本体はポリオレフィン含有素材の熱可塑性のフィルタ部を取り付けている。各紐はそれぞれ各紐の両端に位置する２つの連結部材を有し、連結部材はマスク本体に取り外し可能に連結する。一定時間使用した後はマスク本体を廃棄しなければならないが、紐の連結部材はマスク本体に取り外し可能に連結されているので、紐はマスク本体と共に廃棄する必要がない。従って、取り外し可能な使い捨て式マスクの着用によって、取り外し可能な使い捨て式マスクの紐を無駄にしないようにすることができ、ユーザーの購入に掛かる経済的負担を軽減し、環境保全の成果を改善することができる。【選択図】図１０
2009531087.tif 000002
【特許請求の範囲】
【請求項１】
取り外し可能な使い捨て式マスクであって、ポリオレフィン含有素材の熱可塑性のフィルタ部を有する使い捨て式マスク本体と、
２本の紐と、を含み、
各紐にはそれぞれ各紐の両端に位置する２つの連結部材を有し、前記連結部材はそれぞれ前記マスク本体に取り外し可能に連結することを特徴とする取り外し可能な使い捨て式マスク。
【請求項２】
前記マスク本体は、ポリオレフィン含有素材の熱可塑性の不織布層を有することを特徴とする請求項１に記載の取り外し可能な使い捨て式マスク。
【請求項３】
前記マスク本体は４つの連結部を有し、これら４つの連結部はそれぞれ前記マスク本体の２つの対向する側辺の両端に位置することを特徴とする請求項１に記載の取り外し可能な使い捨て式マスク。
【請求項４】
前記各連結部には開口穴が設け、且つ前記連結部材はそれぞれ前記開口穴に取り外し可能に連結することを特徴とする請求項３に記載の取り外し可能な使い捨て式マスク。
【請求項５】
各連結部の開口穴の孔縁にホットメルトにより強化リングを形成することを特徴とする請求項４に記載の取り外し可能な使い捨て式マスク。
【請求項６】
各連結部にさらに熱可塑性の強化プレートを具備することを特徴とする請求項４に記載の取り外し可能な使い捨て式マスク。
【請求項７】
各紐には紐本体を有し、各連結部材は固定部と係合部を有する係合部材で、前記連結部材の固定部はそれぞれ前記紐本体の両端に固定し、前記連結部材の係合部はそれぞれ前記紐本体に沿って延伸させ、且つ前記連結部材の係合部はそれぞれ前記連結部の開口穴に取り外し可能に連結することを特徴とする請求項４に記載の取り外し可能な使い捨て式マスク。
【請求項８】
各紐には紐本体を有し、各連結部材は弾性凸部で、前記連結部材は前記紐本体の両端にそれぞれ形成されて、且つ前記連結部の開口穴に取り外し可能に連結することを特徴とする請求項４に記載の取り外し可能な使い捨て式マスク。
【請求項９】
各紐には紐本体を有し、各連結部材はナイロン粘着部材で、前記連結部材は前記紐本体の両端にそれぞれ連接され、且つ前記連結部の開口穴に取り外し可能に連結することを特徴とする請求項４に記載の取り外し可能な使い捨て式マスク。
【請求項１０】
各紐には紐本体を有し、各連結部材は雌雄ボタン部材で、前記連結部材は前記紐本体の両端にそれぞれ形成されて、且つ前記連結部の開口穴に取り外し可能に連結することを特徴とする請求項４に記載の取り外し可能な使い捨て式マスク。
【請求項１１】
各紐の連結部材は前記マスク本体の１つの対応する側辺の連結部にそれぞれ取り外し可能に連結することを特徴とする請求項３に記載の取り外し可能な使い捨て式マスク。
【請求項１２】
各紐の連結部材は前記マスク本体の２つの対向する側辺の１つの対応する連結部にそれぞれ取り外し可能に連結することを特徴とする請求項３に記載の取り外し可能な使い捨て式マスク。
【請求項１３】
前記マスク本体の２つの対向する側辺はそれぞれ外方向に延伸して２つの耳部を形成し、各紐の連結部材はそれぞれ前記耳部に取り外し可能に連結することを特徴とする請求項１に記載の取り外し可能な使い捨て式マスク。
【請求項１４】
前記マスク本体は４つの延伸部を延伸させ、前記延伸部はそれぞれ前記マスク本体に近い２つの対向する側辺の両端に位置し、各紐の連結部材はそれぞれ前記各延伸部に取り外し可能に連結することを特徴とする請求項１に記載の取り外し可能な使い捨て式マスク。
【請求項１５】
各紐には紐本体を有し、各紐本体は熱可塑性のポリウレタン弾性層を有することを特徴とする請求項１に記載の取り外し可能な使い捨て式マスク。
【請求項１６】
各紐には紐本体を有し、各紐本体は熱可塑性のポリウレタン弾性層と熱可塑性の長繊維不織布層を有することを特徴とする請求項１に記載の取り外し可能な使い捨て式マスク。
【請求項１７】
各紐には紐本体を有し、各紐本体はポリオレフィン含有素材又はその共重合体で製造された熱可塑性の弾性層を具えていることを特徴とする請求項１に記載の取り外し可能な使い捨て式マスク。
【請求項１８】
各紐には紐本体を有し、各紐本体はポリオレフィン含有素材又はその共重合体で製造された熱可塑性の弾性層と熱可塑性の長繊維不織布層を具えていることを特徴とする請求項１に記載の取り外し可能な使い捨て式マスク。
【請求項１９】
取り外し可能な使い捨て式マスクの使い捨て式マスク本体であって、ポリオレフィン含有素材の熱可塑性のフィルタ部を有することを特徴とする取り外し可能な使い捨て式マスクの使い捨て式マスク本体。
【請求項２０】
前記マスク本体は、ポリオレフィン含有素材の熱可塑性の不織布層を有することを特徴とする請求項１９に記載の取り外し可能な使い捨て式マスクの使い捨て式マスク本体。
【請求項２１】
前記マスク本体には４つの連結部を有し、これら４つの連結部はそれぞれ前記マスク本体の２つの対向する側辺の両端に位置することを特徴とする請求項１９に記載の取り外し可能な使い捨て式マスクの使い捨て式マスク本体。
【請求項２２】
各連結部には開口穴を設けることを特徴とする請求項２１に記載の取り外し可能な使い捨て式マスクの使い捨て式マスク本体。
【請求項２３】
各連結部の開口穴の孔縁にホットメルトにより強化リングを形成することを特徴とする請求項２２に記載の取り外し可能な使い捨て式マスクの使い捨て式マスク本体。
【請求項２４】
各連結部にさらに熱可塑性の強化プレートを具備することを特徴とする請求項２２に記載の取り外し可能な使い捨て式マスクの使い捨て式マスク本体。
【請求項２５】
前記マスク本体の２つの対向する側辺はそれぞれ外方向に延伸して２つの耳部を形成することを特徴とする請求項１９に記載の取り外し可能な使い捨て式マスクの使い捨て式マスク本体。
【請求項２６】
前記マスク本体は４つの延伸部を延伸させ、前記延伸部はそれぞれ前記マスク本体に近い２つの対向する側辺の両端に位置することを特徴とする請求項１９に記載の取り外し可能な使い捨て式マスクの使い捨て式マスク本体。
【発明の詳細な説明】
【技術分野】
【０００１】
本発明はマスクに関し、特に取り外し可能な使い捨て式マスク及びその使い捨て式マスク本体に関する。本発明は中国優先権（出願日：２００６年３月２４日、出願番号：２００６１００６６１６７．３）を援用する。
【背景技術】
【０００２】
マスクは、外的環境の汚染源が人の口や鼻を通じて人の体内に進入するのを防止したり、人の飛沫が人の口や鼻から外的環境へ伝播するのを防止したりするために人の口や鼻を覆うものである。健康や衛生観念の向上により、マスクの使用は日毎に普及している。例えば、医療機関における医療スタッフや患者、バイクの運転手などマスクを着用する必要がある。このためマスクの需要量が極めて増大している。
【０００３】
従来のマスクはマスク本体と２本の紐からなっている。前記マスク本体は洗浄可能な綿織物で製造されている。各紐の両端はそれぞれ前記マスク本体の対応する一つの側辺の両端に取り外し不可能に縫い付けられている。ユーザーが上記従来のマスクを着用すると、前記マスク本体は前記ユーザーの口と鼻を覆い、前記紐はそれぞれ適当なサイズに調整して前記ユーザーの耳部に掛けられる。
【０００４】
前記従来のマスクが一定時間使用されると、前記マスク本体のフィルタ効果が低下して廃棄しなければならなくなるが、前記紐は依然として引続き使用することが可能である。然しながら、前記紐が前記マスク本体に取り外し不可能に縫い付けられているので、前記紐は前記マスク本体と共に廃棄されなければならない。その結果、前記従来のマスクは前記紐を無駄にし、またユーザーの購入に掛かる経済的負担も増加する。さらには、前記紐の廃棄でゴミ量が増加し環境保全効果が低下するという状況を招く。
【０００５】
このほか、前記ユーザーが新しい従来のマスクを着用すると、前記ユーザーはまた前記新しい従来のマスクの紐を調整しなければならない。その結果、前記新しい従来のマスクの交換がユーザーの使用面での不便をもたらすこととなる。
【０００６】
もう一つの従来のマスクは、特許文献１で開示した「平面マスクの構造」のように、マスク本体と２本の耳掛部からなる。前記マスク本体は使い捨て式である。前記耳掛部は超音波ローリング方式又は縫い付け方式で前記マスク本体に連結している。換言すると、各耳掛部の両端はそれぞれ前記マスク本体の対応する側辺の両端に取り外し不可能に連結されている。
【特許文献１】中華民国特許公告第３７９５６７号明細書
【０００７】
上記もう一つの従来のマスクの耳掛部は前記マスク本体に取り外し不可能に連結されている。このため、前記もう一つの従来のマスクもまた前記耳掛部を無駄にし、ユーザーの購入に掛かる経済的負担を増加させ、ユーザーの使用面での不便をもたらし、環境保全の成果が低下するという状況を招く。
【０００８】
そこで、本発明人は上記の問題改善が可能と考え、研究に専念すると共に学理を併せて運用し、合理的設計で上記の問題を効果的に改善する本発明を提出する。
【発明の開示】
【発明が解決しようとする課題】
【０００９】
本発明の主たる目的は、その紐を無駄にせず、ユーザーの購入に掛かる経済的負担を軽減し、ユーザーの使用面での利便性を向上し、環境保全の成果を改善するための取り外し可能な使い捨て式マスク及びその使い捨て式マスク本体を提供することにある。
【課題を解決するための手段】
【００１０】
上記の目的を達成するため、本発明は主に使い捨て式マスク本体と２本の紐からなる取り外し可能な使い捨て式マスクを提供する。前記取り外し可能な使い捨て式マスク本体は、ポリオレフィン含有素材の熱可塑性のフィルタ部を含む。各紐はそれぞれ各紐の両端に位置する２つの連結部材を有し、前記連結部材は前記マスク本体に取り外し可能に連結する。
【００１１】
上記の目的を達成するため、本発明は主にポリオレフィン含有素材の熱可塑性のフィルタ部を有する取り外し可能な使い捨て式マスクの使い捨て式マスク本体を提供する。
【００１２】
前記ポリオレフィン含有素材の熱可塑性のフィルタ部は良好なフィルタ効果を備えている。
【発明の効果】
【００１３】
前記取り外し可能な使い捨て式マスクが一定時間使用されると、前記マスク本体のフィルタ効果が低下して廃棄しなければならなくなるが、前記紐は依然として引続き使用することが可能である。前記紐の連結部材が前記マスク本体に取り外し可能に連結されているので、前記紐は前記マスク本体と共に廃棄する必要がない。ユーザーは新しいマスク本体を準備し、再度前記紐の連結部材を前記新しいマスク本体に取り外し可能に連結しさえすればよい。このため、前記取り外し可能な使い捨て式マスクの着用で前記取り外し可能な使い捨て式マスクの紐を無駄にしないようにし、ユーザーの購入に掛かる経済的負担を軽減し、前記紐によって発生するゴミ量を回避し、環境保全の成果を改善することができる。
【００１４】
また、前記紐のサイズが留保されていることから、ユーザーは改めて前記紐を調整する必要が無い。従って、前記取り外し可能な使い捨て式マスクの着用でユーザーの使用面での利便性を向上することができる。
【００１５】
また、メーカーは各ユーザーの個人的嗜好や使用ニーズを満たすよう多様なタイプの紐を提供することができる。
【００１６】
本発明の既定目的を達成するための技術、方法、効果を一層理解するよう、以下本発明に関連した詳細説明、図面を参照することとし、本発明の目的、特徴がこれにより深く且つ具体的に理解することができるものと確信している。然しながら、添付図面や添付文書は参考と説明の用に供するに留まり、本発明に制限を課すものではない。
【実施例】
【００１７】
本発明は取り外し可能な使い捨て式マスク及びその使い捨て式マスク本体である。図１と図２では本発明の第一実施例を示している。前記取り外し可能な使い捨て式マスクは、使い捨て式マスク１と２本の紐２からなる。
【００１８】
前記使い捨て式マスク本体１はポリオレフィン含有素材の熱可塑性のフィルタ部であるフィルタシートを有し、良好なフィルタ効果を具えている。また、前記マスク本体１はさらに熱可塑性の不織布層を有し、強靭性を高めている。前記熱可塑性の不織布層は前記熱可塑性のフィルタ部とホットメルト結合している。前記熱可塑性の不織布層はポリオレフィン含有素材の熱可塑性の長繊維不織布層又はポリオレフィン含有素材の熱可塑性の短繊維不織布層である。また、前記マスク本体１は平面形式又はカップ形式などの各種形式である。
【００１９】
前記マスク本体１はそれぞれ前記マスク本体１の２つの対向する側辺の両端に位置する４つの連結部１０を有する。各連結部１０には開口穴１０１を設ける。各連結部１０の開口穴１０１の孔縁にはさらに強化リング１０２をホットメルトで形成して、各連結部１０の強度を高める。本実施例では、各強化リング１０２は円形である。無論、各強化リング１０２はその他の形状でもよい。
【００２０】
各紐２は耳掛部２０と２つの連結部材２１を有する。各耳掛部２０は弾性効果を有する材質で製造されたゴム紐である。例えば、各耳掛部２０は熱可塑性のポリウレタン(TPU,Thermo-plastic Polyurethane)弾性層を有する。また、各耳掛部２０は熱可塑性のポリウレタン弾性層と熱可塑性の不織布層を有する。前記熱可塑性の不織布層は長繊維不織布層である。また、各耳掛部２０はポリオレフィン含有素材又はその共重合体で製造された熱可塑性の弾性層を具えている。また、各耳掛部２０はポリオレフィン含有素材又はその共重合体で製造された熱可塑性の弾性層と熱可塑性の長繊維不織布層を具えている。
【００２１】
各紐２の連結部材２１はそれぞれ各紐２の両端に位置する。前記連結部材２１は前記マスク本体１に取り外し可能に連結する。本実施例では、各連結部材２１は係合部材である。各連結部材２１（係合部材）は固定部２１１と係合部２１２を有する。前記連結部材２１（係合部材）の固定部２１１はそれぞれ前記耳掛部２０の両端に固定する。前記連結部材２１（係合部材）の係合部２１２はそれぞれ前記耳掛部２０に沿って延伸させる。
【００２２】
取り付けの際、まず各紐２の連結部材２１（係合部材）はそれぞれ前記マスク本体１の対応する側辺の開口穴１０１を貫通すると、前記紐２はそれぞれ前記マスク本体１の２つの対応する側辺に位置する。続いて、各紐２が後方に引っ張られると、前記連結部材２１（係合部材）の係合部２１２はそれぞれ前記連結部１０の開口穴１０１の孔縁に係合することにより、前記連結部材２１（係合部材）の係合部２１２はそれぞれ前記連結部１０の開口穴１０１に取り外し可能に連結する。従って、各紐２の前記連結部材２１（係合部材）はそれぞれ前記マスク本体１の対応する側辺の連結部１０に取り外し可能に連結して、耳掛けタイプのマスクを形成する。
【００２３】
ユーザーが前記取り外し可能な使い捨て式マスクを着用する際、前記マスク本体１は前記ユーザーの口と鼻を覆い、前記紐２はそれぞれ適当なサイズに調整して前記ユーザーの耳部に掛けられる。各紐２が後方に引っ張られると、前記連結部材２１（係合部材）はそれぞれ前記連結部１０の開口穴１０１に確実に且つ取り外し可能に連結され、前記マスク本体１は適度に前記ユーザーの口と鼻にぴったりとつく。
【００２４】
前記取り外し可能な使い捨て式マスクが一定時間使用されると、前記マスク本体１のフィルタ効果が低下して廃棄しなければならなくなるが、前記紐２は依然として引続き使用することが可能である。取り外そうとする際、各紐２の両端が前方に引っ張られると、前記連結部材２１（係合部材）の係合部２１２がそれぞれ前記連結部１０の開口穴１０１の孔縁から離脱する。このようにして、前記連結部材２１（係合部材）は前記開口穴１０１をそれぞれ通過して前記紐２を前記マスク本体１から分離することができる。前記紐２の連結部材２１が前記マスク本体１に取り外し可能に連結するので、前記紐２は前記マスク本体１と共に廃棄する必要がない。ユーザーは新しいマスク本体１を準備し、再度前記紐２の連結部材２１を前記新しいマスク本体１に取り外し可能に連結しさえすればよい。このため、前記取り外し可能な使い捨て式マスクの着用で前記取り外し可能な使い捨て式マスクの紐２を無駄にしないようにし、ユーザーの購入に掛かる経済的負担を軽減し、前記紐２によって発生するゴミ量を回避し、環境保全の成果を改善することができる。
【００２５】
また、前記紐２のサイズが留保されていることから、ユーザーは改めて前記紐２を調整する必要が無い。従って、前記取り外し可能な使い捨て式マスクの着用でユーザーの使用面での利便性を向上することができる。
【００２６】
メーカーは各ユーザーの個人的嗜好や使用ニーズを満たすよう多様なタイプの紐２を提供することができる。
【００２７】
図３は本発明の第１実施例の各連結部１０にさらに熱可塑性の強化プレート１１を具備する態様を示す。前記強化プレート１１は前記連結部１０の強度を高めることができる。
【００２８】
図４は本発明の第２実施例を示している。第２実施例と第１実施例間の相違点は前記紐２の連結部材２２である。第２実施例では、各連結部材２２は弾性凸部である。前記連結部材２２（弾性凸部）はそれぞれ前記耳掛部２０の両端に形成される。前記連結部材２２（弾性凸部）の常態での横断面の面積はそれぞれ前記連結部１０の開口穴１０１より大きい。連結の際、各紐２の前記連結部材２２（弾性凸部）が圧縮されてその横断面の面積を縮小してそれぞれ前記マスク本体１の対応する側辺の開口穴１０１を貫通すると、前記紐２はそれぞれ前記マスク本体１の２つの対応する側辺に位置する。続いて、各紐２の連結部材２２（弾性凸部）がリリースされるとその横断面の面積が元に戻る。従って、前記連結部材２２（弾性凸部）はそれぞれ前記連結部１０の開口穴１０１に取り外し可能に連結する。取り外そうとする際、各紐２の連結部材２２（弾性凸部）は再度圧縮されてその横断面の面積を縮小してそれぞれ前記開口穴１０１を通過して、前記紐２を前記マスク本体１から分離させる。
【００２９】
図５は本発明の第３実施例を示している。第３実施例と第１実施例間の相違点は前記紐２の連結部材２３である。第３実施例では、各連結部材２３はナイロン粘着部材である。前記連結部材２３（粘着部材）はそれぞれ前記耳掛部２０の両端に連接される。前記連結部材２３（粘着部材）はそれぞれ前記連結部１０の開口穴１０１を一周して、且つそれぞれ前記連結部１０の開口穴１０１に取り外し可能に連結する。
【００３０】
図６は本発明の第４実施例を示している。第４実施例と第１実施例間の相違点は前記紐２の連結部材２４である。第４実施例では、各連結部材２４は雌雄ボタン部材である。前記連結部材２４（雌雄ボタン部材）はそれぞれ前記耳掛部２０の両端に形成される。前記連結部材２４（雌雄ボタン部材）はそれぞれ前記連結部１０の開口穴１０１を取り巻き、且つそれぞれ前記連結部１０の開口穴１０１に取り外し可能に連結する。
【００３１】
第１実施例から第４実施例でわかるように、各紐２の連結部材は各種形式を含むものの、上記実施例に限られない。
【００３２】
図７は本発明の第５実施例を示している。第５実施例と第１実施例間の相違点は前記紐２の位置である。第５実施例では、各紐２の連結部材２１（係合部材）はそれぞれ前記マスク本体１の２つの対向する側辺の一つの対応する連結部１０に取り外し可能に連結して、ヘッドバンドタイプマスクを形成する。
【００３３】
図８は本発明の第６実施例を示している。第６実施例と第２実施例間の相違点は前記紐２の位置である。第６実施例の紐２の位置は第５実施例の紐２の位置と同様である。
【００３４】
図９は本発明の第７実施例を示している。第７実施例と第３実施例間の相違点は前記紐２の位置である。第７実施例の紐２の位置は第５実施例の紐２の位置と同様である。
【００３５】
図１０は本発明の第８実施例を示している。第８実施例と第４実施例間の相違点は前記紐２の位置である。第８実施例の紐２の位置は第５実施例の紐２の位置と同様である。
【００３６】
図１１は本発明の第９実施例を示している。第９実施例と第１実施例間の相違点は次のとおりである。
【００３７】
前記マスク本体１の２つの対向する側辺はそれぞれ外方向に延伸して２つの間隔を置いて取り付けた耳部１２を形成し、各耳部１２には開口穴１２１を設け、前記開口穴１２１の孔縁はホットメルト方法で強化リング１２２を形成する。
【００３８】
取り付けの際、前記連結部材２１（係合部材）はそれぞれ前記耳部１２の開口穴１２１の孔縁に係合することにより、各紐２の連結部材２１（係合部材）はそれぞれ前記マスク本体１の対応する側辺の耳部１２に取り外し可能に連結して、耳掛けタイプのマスクを形成する。
【００３９】
なお、第５実施例から第８実施例の方法と同様に紐２と前記耳部１２とが組合せ連結する位置を変えて、マスクを耳掛けタイプからヘッドバンドタイプに変えることができる（図省略）。
【００４０】
図１２は本発明の第１０実施例を示している。第１０実施例と第１実施例間の相違点は次のとおりである。
【００４１】
前記マスク本体１は４つの延伸部１３を延伸させ、本実施例では前記延伸部１３は前記マスク本体１の内側から延伸して形成され、それぞれ前記マスク本体１に近い２つの対向する側辺の両端に位置し、各延伸部１３には開口穴１３１を設け、前記開口穴１３１の孔縁にはホットメルト方式で強化リング１３２を形成する。
【００４２】
取り付けの際、前記連結部材２１（係合部材）は、それぞれ前記延伸部１３の開口穴１３１の孔縁に係合することにより、各紐２の連結部材２１（係合部材）はそれぞれ前記マスク本体１の対応する側辺の延伸部１３に取り外し可能に連結して、連結部材２１を前記マスク本体１に内蔵するので美観にも優れている。
【００４３】
前記延伸部１３はまた前記マスク本体１の外側にも形成することができ、或いは同時に前記マスク本体１の内外両側に取り付けて、紐２の連結強度を高めることもできる。また、第５実施例から第８実施例の方法と同様に紐２と前記延伸部１３とが組合せ連結する位置を変えて、マスクを耳掛けタイプからヘッドバンドタイプに変えることができる（図省略）。
【００４４】
本発明の取り外し可能な使い捨て式マスク及びその使い捨て式マスク本体には下記の特徴がある。
【００４５】
１．前記ポリオレフィン含有素材の熱可塑性のフィルタ部は良好なフィルタ効果を備えている。
【００４６】
２．前記取り外し可能な使い捨て式マスクが一定時間使用されると、前記マスク本体のフィルタ効果が低下して廃棄しなければならなくなるが、前記紐は依然として引続き使用することが可能である。前記紐の連結部材が前記マスク本体に取り外し可能に連結されているので、前記紐は前記マスク本体と共に廃棄する必要がない。ユーザーは新しいマスク本体を準備し、再度前記紐の連結部材を前記新しいマスク本体に取り外し可能に連結しさえすればよい。このため、前記取り外し可能な使い捨て式マスクの着用で前記取り外し可能な使い捨て式マスクの紐を無駄にしないようにし、ユーザーの購入に掛かる経済的負担を軽減し、前記紐によって発生するゴミ量を回避し、環境保全の成果を改善することができる。
【００４７】
３．前記紐のサイズが留保されていることから、ユーザーは改めて前記紐を調整する必要が無い。従って、前記取り外し可能な使い捨て式マスクの着用でユーザーの使用面での利便性を向上することができる。
【００４８】
４．メーカーは各ユーザーの個人的嗜好や使用ニーズを満たすよう多様なタイプの紐を提供することができる。
【００４９】
以上の記述は本発明の具体的実施例における詳細な説明と図面に過ぎず、本発明及び本発明の特徴を制限するものではない。本発明の技術分野において通常の知識を有する者が本発明の精神に基づき行った等価修飾や変化についても、全て本発明の特許範囲に含まれるものとする。
【図面の簡単な説明】
【００５０】
【図１】本発明の取り外し可能な使い捨て式マスクの第１実施例の分解斜視図である。
【図２】本発明の取り外し可能な使い捨て式マスクの第１実施例の局部断面図である。
【図３】本発明の取り外し可能な使い捨て式マスクの第１実施例のマスク本体の連結部にさらに熱可塑性強化プレートを取り付けた分解斜視図である。
【図４】本発明の取り外し可能な使い捨て式マスクの第２実施例の分解斜視図である。
【図５】本発明の取り外し可能な使い捨て式マスクの第３実施例の分解斜視図である。
【図６】本発明の取り外し可能な使い捨て式マスクの第４実施例の分解斜視図である。
【図７】本発明の取り外し可能な使い捨て式マスクの第５実施例の分解斜視図である。
【図８】本発明の取り外し可能な使い捨て式マスクの第６実施例の分解斜視図である。
【図９】本発明の取り外し可能な使い捨て式マスクの第７実施例の分解斜視図である。
【図１０】本発明の取り外し可能な使い捨て式マスクの第８実施例の分解斜視図である。
【図１１】本発明の取り外し可能な使い捨て式マスクの第９実施例の分解斜視図である。
【図１２】本発明の取り外し可能な使い捨て式マスクの第１０実施例の分解斜視図である。
【符号の説明】
【００５１】
１      マスク本体
１０    連結部
１０１  開口穴
１０２  強化リング
１１  強化プレート
１２  耳部
１２１  開口穴
１２２  強化リング
１３    延伸部
１３１  開口穴
１３２  強化リング
２      紐
２０    耳掛部
２１    連結部材
２１１  固定部
２１２  係合部
２２    連結部材
２３    連結部材
２４    連結部材
【図１】
2009531087.tif 000003
【図２】
2009531087.tif 000004
【図３】
2009531087.tif 000005
【図４】
2009531087.tif 000006
【図５】
2009531087.tif 000007
【図６】
2009531087.tif 000008
【図７】
2009531087.tif 000009
【図８】
2009531087.tif 000010
【図９】
2009531087.tif 000011
【図１０】
2009531087.tif 000012
【図１１】
2009531087.tif 000013
【図１２】
2009531087.tif 000014
【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
取り外し可能な使い捨て式マスクであって、ポリオレフィン含有素材の熱可塑性のフィルタ部を有する使い捨て式マスク本体を含み、前記マスク本体はそれぞれ前記マスク本体の２つの対向する側辺の両端に位置する４つの連結部を有し、前記各連結部には開口穴と２本の紐を設け、各紐にはそれぞれ各紐の両端に位置する２つの連結部材を有し、前記連結部材はそれぞれ前記マスク本体の連結部の開口穴に取り外し可能に連結することを特徴とする取り外し可能な使い捨て式マスク。
【請求項２】
前記マスク本体は、ポリオレフィン含有素材の熱可塑性の不織布層を有することを特徴とする請求項１に記載の取り外し可能な使い捨て式マスク。
【請求項３】
各連結部の開口穴の孔縁にホットメルトにより強化リングを形成することを特徴とする請求項１に記載の取り外し可能な使い捨て式マスク。
【請求項４】
各連結部にさらに熱可塑性の強化プレートを具備することを特徴とする請求項１に記載の取り外し可能な使い捨て式マスク。
【請求項５】
各紐には紐本体を有し、各連結部材は固定部と係合部を有する係合部材で、前記連結部材の固定部はそれぞれ前記紐本体の両端に固定し、前記連結部材の係合部はそれぞれ前記紐本体に沿って延伸させ、且つ前記連結部材の係合部はそれぞれ前記連結部の開口穴に取り外し可能に連結することを特徴とする請求項１に記載の取り外し可能な使い捨て式マスク。
【請求項６】
各紐には紐本体を有し、各連結部材は弾性凸部で、前記連結部材は前記紐本体の両端にそれぞれ形成されて、且つ前記連結部の開口穴に取り外し可能に連結することを特徴とする請求項１に記載の取り外し可能な使い捨て式マスク。
【請求項７】
各紐の連結部材は前記マスク本体の１つの対応する側辺の連結部にそれぞれ取り外し可能に連結することを特徴とする請求項１に記載の取り外し可能な使い捨て式マスク。
【請求項８】
各紐の連結部材は前記マスク本体の２つの対向する側辺の１つの対応する連結部にそれぞれ取り外し可能に連結することを特徴とする請求項１に記載の取り外し可能な使い捨て式マスク。
【請求項９】
取り外し可能な使い捨て式マスクの使い捨て式マスク本体であって、ポリオレフィン含有素材の熱可塑性のフィルタ部を有し、前記マスク本体にはそれぞれ前記マスク本体の２つの対向する側辺の両端に位置する４つの連結部を有し、各連結部には開口穴を設けることを特徴とする取り外し可能な使い捨て式マスクの使い捨て式マスク本体。
【請求項１０】
前記マスク本体は、ポリオレフィン含有素材の熱可塑性の不織布層を有することを特徴とする請求項９に記載の取り外し可能な使い捨て式マスクの使い捨て式マスク本体。
【請求項１１】
各連結部の開口穴の孔縁にホットメルトにより強化リングを形成することを特徴とする請求項９に記載の取り外し可能な使い捨て式マスクの使い捨て式マスク本体。
【請求項１２】
各連結部にさらに熱可塑性の強化プレートを具備することを特徴とする請求項９に記載の取り外し可能な使い捨て式マスクの使い捨て式マスク本体。
【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
取り外し可能な使い捨て式マスクであって、ポリオレフィン含有素材の熱可塑性のフィルタ部を有する使い捨て式マスク本体を含み、前記マスク本体はそれぞれ前記マスク本体の２つの対向する側辺の両端に位置する４つの連結部を有し、前記各連結部には開口穴と２本の紐を設け、各紐にはそれぞれ各紐の両端に位置する２つの連結部材を有し、前記連結部材はそれぞれ前記マスク本体の連結部の開口穴に取り外し可能に連結することを特徴とする取り外し可能な使い捨て式マスク。
【請求項２】
各連結部の開口穴の孔縁にホットメルトにより強化リングを形成することを特徴とする請求項１に記載の取り外し可能な使い捨て式マスク。
【請求項３】
各連結部にさらに熱可塑性の強化プレートを具備することを特徴とする請求項１に記載の取り外し可能な使い捨て式マスク。
【請求項４】
各紐には紐本体を有し、各連結部材は固定部と係合部を有する係合部材で、前記連結部材の固定部はそれぞれ前記紐本体の両端に固定し、前記連結部材の係合部はそれぞ  れ前記紐本体に沿って延伸させ、且つ前記連結部材の係合部はそれぞれ前記連結部の開口穴に取り外し可能に連結することを特徴とする請求項１に記載の取り外し可能な使い捨て式マスク。
【請求項５】
各紐には紐本体を有し、各連結部材は弾性凸部で、前記連結部材は前記紐本体の両端にそれぞれ形成されて、且つ前記連結部の開口穴に取り外し可能に連結することを特徴とする請求項１に記載の取り外し可能な使い捨て式マスク。
【請求項６】
各紐の連結部材は前記マスク本体の１つの対応する側辺の連結部にそれぞれ取り外し可能に連結することを特徴とする請求項１に記載の取り外し可能な使い捨て式マスク。
【請求項７】
各紐の連結部材は前記マスク本体の２つの対向する側辺の１つの対応する連結部にそれぞれ取り外し可能に連結することを特徴とする請求項１に記載の取り外し可能な使い捨て式マスク。
【請求項８】
取り外し可能な使い捨て式マスクの使い捨て式マスク本体であって、ポリオレフィン含有素材の熱可塑性のフィルタ部を有し、前記マスク本体にはそれぞれ前記マスク本体の２つの対向する側辺の両端に位置する４つの連結部を有し、各連結部には開口穴を設けることを特徴とする取り外し可能な使い捨て式マスクの使い捨て式マスク本体。
【請求項９】
各連結部の開口穴の孔縁にホットメルトにより強化リングを形成することを特徴とする請求項８に記載の取り外し可能な使い捨て式マスクの使い捨て式マスク本体。
【請求項１０】
各連結部にさらに熱可塑性の強化プレートを具備することを特徴とする請求項８に記載の取り外し可能な使い捨て式マスクの使い捨て式マスク本体。
【国際調査報告】
2009531087.tif 000015
2009531087.tif 000016
2009531087.tif 000017
2009531087.tif 000018
2009531087.tif 000019
2009531087.tif 000020
2009531087.tif 000021
2009531087.tif 000022
2009531087.tif 000023